(57)【要約】【課題】本体を構成する部品点数が多いため組立等煩雑であり、外装部品間の隙間からの水分等の侵入により製品寿命の低下の可能性があるためシール材が必要になる等、コストアップの要因になるという課題を有していた。【解決手段】圧縮機室側外箱前板１２０は圧縮機室側外箱側板１０３に重なるように延長されて、従来の接続部カバー１１７に相当する形状を一体に形成され、前記圧縮機室側外箱側板１０３に設けられた電線接続部１１３および接続弁取り付け部１１６を覆うように構成されることによって、簡単な構造で部品点数を削減し、より安価で組み立てやすい分離型空気調和機の室外ユニットを提供する。【選択図】図１
2006084043.tif 000002
【特許請求の範囲】
【請求項１】
基板上に圧縮機と熱交換器と風回路並びに電装品を戴置し、その周りを外箱で覆い前期風回路のある空間と圧縮機のある空間が仕切板で区切られた空気調和機の室外ユニットにおいて、
前記外箱は前記室外ユニットの側面部を覆う部分と天面を覆う部分からなり、前記側面部を覆う部分は前期仕切板の近傍で風回路のある空間を覆う部分と圧縮機のある空間を覆う部分に少なくとも２分割され、前記圧縮機のある空間を覆う部分は前記室外ユニット側面に設けられた電線接続部並びに配管接続部を覆う部分が一体に形成されていることを特徴とする分離型空気調和機の室外ユニット。
【請求項２】
風回路のある空間を覆う部分は、室外ユニット前面を覆う部分と側面を覆う部分とを一体に形成してなることを特徴とする、請求項１記載の分離型空気調和機の室外ユニット。
【発明の詳細な説明】
【技術分野】
【０００１】
本発明は、分離型空気調和機の室外ユニットに関するものである。
【背景技術】
【０００２】
従来の分離型空気調和機の室外ユニットは、室外ユニット本体の外装部を室外ユニットの底部を覆う外箱底板、室外ユニットの側面で前面以外を覆う外箱側板、室外ユニットの前面を覆う外箱前板および室外ユニットの天面を覆う外箱天板に加えて、電装部品および配管接続弁カバーに運搬用取手を一体に構成した接続部カバーを外箱側板に配設して構成されているものがあった（例えば、特許文献１参照）。図３は、前記特許文献１に記載された従来の分離型空気調和機の室外ユニットを示すものである。また図４は従来の分離型空気調和機の室外ユニットの構成を示す一部を省略した斜視図である。ここで、室外ユニット内部を仕切板で区切った空間の内、送風機のある空間を送風機室、圧縮機のある空間を圧縮機室という（以下、同様）。
【０００３】
図３および図４において、室外ユニット１００は室外ユニット本体の外装部に外箱底板１０１、送風機室側外箱側板１０２、圧縮機室側外箱側板１０３、外箱前板１０４、外箱天板１０５を配設して、その内部に室外ユニット内部を送風機室と圧縮機室に区切る仕切り板１０６、および熱交換器１０７、送風機１０８、圧縮機１０９、電装部１１０を設置し、さらに圧縮機室側外箱側板１０３には室内外ユニット間の電線１１１を接続する端子台１１２を配した電線接続部１１３と、冷媒配管１１４を接続する配管接続弁１１５を配した接続弁取り付け部１１６、および電線接続部１１３と接続弁取り付け部１１６を覆う接続部カバー１１７を設けて構成されていた。また圧縮機室側外箱側板１０３と外箱前板１０４の接合部にはシール材１１８が設けられていた。
この構成により室外ユニットは内部の要素部品を保護し、本体設置工事の時には接続部カバー１１７だけを外すことで設置工事を行うことができ、さらに設置後の美観を向上することができた。
【特許文献１】特開２０００−１９３２７５号公報
【発明の開示】
【発明が解決しようとする課題】
【０００４】
しかしながら、前記従来の構成では、本体を構成する部品点数が多いため組立等煩雑であり、外装部品間の隙間からの水分等の侵入により製品寿命の低下の可能性があるためシール材が必要になる等、コストアップの要因になるという課題を有していた。
【０００５】
本発明はこのような従来の課題を解決するものであり、簡単な構造で部品点数を削減し、より安価で組み立てやすい分離型空気調和機の室外ユニットを提供することを目的とする。
【課題を解決するための手段】
【０００６】
前記従来の課題を解決するために、本発明の分離型空気調和機の室外ユニットは、外箱前板と接続部カバーとを一体に形成して構成されるものである。本構成によって、簡単な構造で部品点数を削減し、より安価で組み立てやすい室外ユニットを実現することを目的とする。
【発明の効果】
【０００７】
本発明の分離型空気調和機の室外ユニットは、簡単な構造で部品点数を削減し、より安価で組み立てやすい室外ユニットを実現することができる。
【発明を実施するための最良の形態】
【０００８】
第１の発明は、室外ユニット内部を送風機室と圧縮機室に区切る仕切り板の近傍で、外箱前板を送風機室側外箱前板と圧縮機室側外箱前板に分割し、電線接続部と接続弁取り付け部とを覆う接続部カバーと圧縮機室側外箱前板とを一体に形成して構成することにより、簡単な構造で部品点数を削減して組立性を向上し、設置工事およびサービス点検を容易にすることができる。
【０００９】
第２の発明は、前記送風機室側外箱前板と送風機室側外箱側板とを一体に形成して構成することにより、さらに組立性を改善することができる。
【００１０】
以下、本発明の実施の形態について、図面を参照しながら説明する。なお、本実施の形態によって本発明が限定されるものではない。
【００１１】
（実施の形態１）
図１は、本発明の実施の形態１における分離型空気調和機の室外ユニットの一部を省略した斜視図である。図１において、従来の技術の図３および図４と同じ構成要素については同じ符号を用い、説明を省略する。
図１において、従来の外箱前板１０４は仕切り板１０６近傍で送風機室側外箱前板１１９と圧縮機室側外箱前板１２０に分割される。前記圧縮機室側外箱前板１２０は圧縮機室側外箱側板１０３に重なるように延長されて、従来の接続部カバー１１７に相当する形状を一体に形成され、前記圧縮機室側外箱側板１０３に設けられた電線接続部１１３および接続弁取り付け部１１６を覆うように構成される。
【００１２】
以上のように構成された分離型空気調和機の室外ユニットにおいて、従来の外箱前板と圧縮機室側側板との接合部に相当する隙間がなくなるためシール材を使用せずに水等の侵入を防止し、コスト低減とともに製品の信頼性を高めることができる。また本体設置工事の時には従来同様に圧縮機室側外箱前板だけを外すことで工事を行うことができ、さらにサービス点検時には従来の室外ユニットよりも容易に内部を点検することができる。
【００１３】
（実施の形態２）
図２は、本発明の実施の形態２における分離型空気調和機の室外ユニットの一部を省略した斜視図である。本実施の形態では、実施の形態１に加え、送風機室側外箱前板１２１は送風機室側の側面に延長され、実施の形態１の送風機室側外箱前板１１９と左側外箱側板１０２とを一体に形成して構成される。
【００１４】
これによりさらに部品点数を削減し、より安価で組み立てやすい室外ユニットを実現することができる。
【産業上の利用可能性】
【００１５】
本発明は、分離型空気調和機の室外ユニットに関するものである。
【図面の簡単な説明】
【００１６】
【図１】本発明の実施の形態１における分離型空気調和機の室外ユニットの一部を省略した斜視図
【図２】本発明の実施の形態２における分離型空気調和機の室外ユニットの一部を省略した斜視図
【図３】従来の分離型空気調和機の室外ユニットの側面図
【図４】従来の分離型空気調和機の室外ユニットの一部を省略した斜視図
【符号の説明】
【００１７】
１０２  送風機室側外箱側板
１０３  圧縮機室側外箱側板
１０４  外箱前板
１０６  仕切り板
１１２  端子台
１１３  電線接続部
１１５  配管接続弁
１１６  接続弁取り付け部
１１７  接続部カバー
１１９、１２１  送風機室側外箱前板
１２０  圧縮機室側外箱前板
【図２】
2006084043.tif 000003
【図３】
2006084043.tif 000004
【図４】
2006084043.tif 000005
【図１】
2006084043.tif 000006